(57)【要約】【課題】本発明は、肘掛け使用状態において肘掛けがぐらついて不安定になることがなく、使用者は安心して該肘掛けを使用することが出来、楽な姿勢で該簡易便器を使用することが出来る肘掛け取付構造を提供することを課題とする。【解決手段】便器本体２の背もたれ部３の両側の側面にそれぞれ根端部５と肘支持部６とからなる肘掛け４の根端部５を枢着し、該肘掛け４の肘支持部６からは支柱７を垂設し、かくして該肘掛け４は跳ね上げ状態から使用状態の間で回動可能にされており、該肘掛け使用状態では該支柱７下端が便器本体２上面両側前部に当接し、更に該背もたれ部３両側面から支持凸部８を一体的に凸設し、該肘掛け４が使用状態のときに該支持凸部８の上辺面９と後辺面１０とが該肘掛け４の肘支持部６の下面１１と根端部５の内面１２とに当接支持するように設定した簡易便器１の肘掛け取付構造を提供する。【選択図】    図４
2005066071.tif 000002
【特許請求の範囲】
【請求項１】
便器本体上面後端に該便器本体と一体的に背もたれ部を立設し、該背もたれ部の両側の側面にそれぞれ根端部と肘支持部とからなるＬ字形の肘掛けの根端部下端を枢着し、該肘掛けの肘支持部からは支柱を垂設し、かくして該肘掛けは上方へ跳ね上げ状態から該肘支持部が略水平状態になる使用状態の間で回動可能にされており、該肘掛け使用状態では該支柱下端が便器本体上面両側前部に当接し、更に該背もたれ部両側面から支持凸部を一体的に凸設し、該肘掛けが使用状態のときに該支持凸部の上辺面と後辺面とが該肘掛けの肘支持部の下面と根端部の内面とに当接支持するように設定したことを特徴とする簡易便器の肘掛け取付構造。
【請求項２】
該背もたれ部両側面の支持凸部の上辺面と後辺面とに連続する凹溝または凸条を形成し、該肘掛けの肘支持部の下面と根端部の内面とには該支持凸部の凹溝または凸条に嵌合する凸条または凹溝を形成した請求項１に記載の簡易便器の肘掛け取付構造。
【請求項３】
該肘掛けの支柱の下部には袋ナットを外側嵌合し、該便器本体上面両側前部には雄ねじボスを立設し、該肘掛け使用状態で該肘掛けの支柱下端が該雄ねじボス上端に当接し、該袋ナットを該雄ねじボスに螺着して、該支柱を該雄ねじボスに固定する請求項１または請求項２に記載の簡易便器の肘掛け取付構造。
【請求項４】
該肘掛けの支柱の下部には、内周面に係合突環を形成したカラーを外側嵌合し、該便器本体上面両側前部には、外周面に係止段部を形成したボスを立設し、該肘掛け使用状態で該肘掛けの支柱下端が該ボス上端に当接し、該カラーを該ボスに外側嵌合して該カラーの係合突環を該ボスの係止段部に係合して、該支柱を該ボスに固定する請求項１または請求項２に記載の簡易便器の肘掛け取付構造。
【発明の詳細な説明】
【技術分野】
【０００１】
本発明は簡易便器の肘掛けの取付構造に関する。
【背景技術】
【０００２】
従来、図８に示すように、携帯用便器(1P)のアームレスト構造として、便器本体(2P)の両側にアームレスト(3P)を取付け、該アームレスト(3P)の先端部分を支持棒(4P)を介して該便器本体(2P)上面両側部に支持させた構成であって、該アームレスト(3P)根端は該便器本体(2P)側に枢着され、更に該アームレスト(3P)の先端は該支持棒(4P)上端に枢着され、該支持棒(4P)は該便器本体(2P)上面両側部の取付穴(5P)に着脱可能に嵌め込まれており、支持棒(4P)を取付穴(5P)から抜き出すとともにアームレスト(3P)を該支持棒(4P)とともに前端から跳ね上げることによって、該アームレスト(3P)を便器(1P)側部から撤去できるものが提供されている（特許文献１参照）。
【０００３】
【特許文献１】特開２０００−０５１１２０号公報（第２−４頁、第１２図）
【発明の開示】
【発明が解決しようとする課題】
【０００４】
しかしながら上記従来の携帯用便器(1P)のアームレスト構造では、アームレスト(3P)根端部の軸受(6P)とアームレスト(3P)先端部の軸受(7P)の二箇所で該アームレスト(3P)が支持されているため、該軸受(6P,7P) の寸法精度や組立精度が低下すると、該アームレスト(3P)に若干のぐらつきが生じることがあるという問題があり、そのため、使用者が該アームレスト(3P)に上体を預けるなどして大きな重量を加えると、該アームレスト(3P)が不安定になり、使用者が安心してアームレスト(3P)を使用することが出来ないという問題があった。  
【課題を解決するための手段】
【０００５】
本発明は上記従来の課題を解決するための手段として、便器本体(2) 上面後端に該便器本体(2) と一体的に背もたれ部(3) を立設し、該背もたれ部(3) の両側の側面にそれぞれ根端部(5) と肘支持部(6) とからなるＬ字形の肘掛け(4) の根端部(5) 下端を枢着し、該肘掛け(4) の肘支持部(6) からは支柱(7) を垂設し、かくして該肘掛け(4) は上方へ跳ね上げ状態から該肘支持部(6) が略水平状態になる使用状態の間で回動可能にされており、該肘掛け使用状態では該支柱(7) 下端が便器本体(2) 上面両側前部に当接し、更に該背もたれ部(3) 両側面から支持凸部(8) を一体的に凸設し、該肘掛け(4) が使用状態のときに該支持凸部(8) の上辺面(9) と後辺面(10)とが該肘掛け(4) の肘支持部(6) の下面(11)と根端部(5) の内面(12)とに当接支持するように設定した簡易便器(1) の肘掛け取付構造を提供するものである。
該背もたれ部(3) 両側面の支持凸部(8) の上辺面(9) と後辺面(10)とに連続する凹溝(13)または凸条を形成し、該肘掛け(4) の肘支持部(6) の下面(11)と根端部(5) の内面(12)とには該支持凸部(8) の凹溝(13)または凸条に嵌合する凸条(14)または凹溝を形成したことが望ましい。
また、該肘掛け(4) の支柱(7) の下部には袋ナット(15)を外側嵌合し、該便器本体(2) 上面両側前部には雄ねじボス(16)を立設し、該肘掛け使用状態で該肘掛け(4) の支柱(7) 下端が該雄ねじボス(16)上端に当接し、該袋ナット(15)を該雄ねじボス(16)に螺着して、該支柱(7) を該雄ねじボス(16)に固定することが望ましい。
更に、該肘掛け(4) の支柱(7) の下部には、内周面に係合突環(17)を形成したカラー(18)を外側嵌合し、該便器本体(2) 上面両側前部には、外周面に係合段部(19)を形成した係合ボス(20)を立設し、該肘掛け使用状態で該肘掛け(4) の支柱(7) 下端が該係合ボス(20)上端に当接し、該カラー(18)を該係合ボス(20)に外側嵌合して該カラー(18)の係合突環(17)を該係合ボス(20)の係合段部(19)に係合して、該支柱(7) を該係合ボス(20)に固定することが望ましい。
【発明の効果】
【０００６】
本発明の簡易便器(1) の肘掛け取付構造では、肘掛け使用状態で背もたれ部(3) 両側面の支持凸部(8) の上辺面(9) と後辺面(10)とが該肘掛け(4) の肘支持部(6) の下面(11)と根端部(5) の内面(12)とに当接し、更に支柱(7) の下端が便器本体(2) 上面両側前部に当接するため、使用者が肘掛け(4) に肘を掛けて、該肘掛け(4) に大きな重量が加わっても、該肘掛け(4) は該支持凸部(8) と該支柱(7) とによって確実かつ安定に支持され、ぐらついて不安定になることがない。
この場合、該背もたれ部(3) 両側面の支持凸部(8) の上辺面(9) と後辺面(10)とに連続する凹溝(13)または凸条を形成し、該肘掛け(4) の肘支持部(6) の下面(11)と根端部(5) の内面(12)とには該支持凸部(8) の凹溝(13)または凸条に嵌合する凸条(14)または凹溝を形成すると、該支持凸部(8) の凹溝(13)または凸条と該肘掛け(4) の凸条(14)または凹溝とが嵌合することによって、肘掛け(4) が左右にぶれることが阻止される。
更に、該肘掛け(4) の支柱(7) の下部に袋ナット(15)を外側嵌合し、該便器本体(2) 上面両側前部に雄ねじボス(16)を立設し、該肘掛け使用状態で該肘掛け(4) の支柱(7) 下端を該雄ねじボス(16)上端に当接させ、該袋ナット(15)を該雄ねじボス(16)に螺着して、該支柱(7) を該雄ねじボス(16)に固定すれば、該肘掛け(4) の支柱(7) が便器本体(2) 側の雄ねじボス(16)に確実かつ安定に固定され、肘掛け(4) の上方への動きが阻止される。
また、該肘掛け(4) の支柱(7) の下部に、内周下端部に係合突環(17)を形成したカラー(18)を外側嵌合し、該便器本体(2) 上面両側前部に、上部に係合段部(19)を形成した係合ボス(20)を立設し、該肘掛け使用状態で該肘掛け(4) の支柱(7) 下端を該係合ボス(20)上端に当接させ、該カラー(18)を該係合ボス(20)に外側嵌合して該カラー(18)の係合突環(17)を該係合ボス(20)の係合段部(19)に係合させて、該支柱(7) を該係合ボス(20)に固定すれば、肘掛け(4) の支柱(7) が便器本体(2) 側の係合ボス(20)に確実かつ安定に固定され、肘掛け(4) の上方への動きが阻止される。
【０００７】
従って、本発明では、簡易便器(1) の肘掛け(4) を確実かつ安定に支持することができるため、肘掛け使用状態において該肘掛け(4) がぐらついて不安定になることがなく、使用者は安心して該肘掛け(4) を使用することが出来、楽な姿勢で該簡易便器(1) を使用することが出来る。
また、使用者が側方から簡易便器(1) に移乗する際には、該肘掛け(4) を上方に跳ね上げることによって、該肘掛け(4) に干渉されることなく容易に移乗することが出来る。
【発明を実施するための最良の形態】
【０００８】
以下、本発明を実施例１および実施例２により詳細に説明する。
【実施例１】
【０００９】
本発明を図１〜図６に示す一実施例によって説明する。
図１〜図４に示すように、簡易便器(1) の便器本体(2) の上面後端には、該便器本体(2) と一体的にコの字形の背もたれ部(3) が立設されており、該背もたれ部(3) の両側の側面には左右一対のＬ字形の肘掛け(4) がそれぞれ枢着されている。
【００１０】
該Ｌ字形の肘掛け(4) は根端部(5) と肘支持部(6) とからなり、該肘掛け(4) の根端部(5) 下端は該背もたれ部(3) の両側の側面外側に枢着されており、該肘掛け(4) は、該肘支持部(6) を上方へ約１２０度跳ね上げた跳ね上げ状態（図３および図４参照）から該肘支持部(6) が略水平状態になる使用状態（図１および図２参照）までの間で回動可能にされている。
また、該肘掛け(4) の肘支持部(6) の前側部分の下面からは支柱(7) が垂設されており、肘掛け使用状態において、該支柱(7) 下端が便器本体(2) 上面両側前部に当接するようにされている。
【００１１】
一方、背もたれ部(3) の両側の側面外側からは支持凸部(8) が一体的に凸設されており、肘掛け(4) が使用状態のときに、該支持凸部(8) の上辺面(9) と後辺面(10)とが該肘掛け(4) の肘支持部(6) 後部の下面(11)と根端部(5) 上部の内面(12)とに当接支持するように設定されている。
【００１２】
図５に示すように、該背もたれ部(3) 両側面の支持凸部(8) には、該支持凸部(8) の上辺面(9) と後辺面(10)とに連続する凹溝(13)が形成されており、該肘掛け(4) の肘支持部(6) には、該肘支持部(6) の下面(11)と根端部(5) の内面(12)とに連続し、かつ、該支持凸部(8) の凹溝(13)に嵌合する凸条(14)が形成されている。
【００１３】
図６に示すように、該肘掛け(4) の支柱(7) の下部には袋ナット(15)が外側嵌合されており、該便器本体(2) 上面両側前部には雄ねじボス(16)が立設されている。そして、肘掛け使用状態では、該肘掛け(4) の支柱(7) 下端を該雄ねじボス(16)上端に当接し、該袋ナット(15)を該雄ねじボス(16)に螺着して、該支柱(7) を該雄ねじボス(16)に固定するようにされている。
【００１４】
簡易便器(1) の肘掛け(4) を使用状態にする場合には、該肘掛け(4) を回動させて該肘掛け(4) の肘支持部(6) を略水平状態とし、該肘掛け(4) の肘支持部(6) の下面(11)と根端部(5) の内面(12)とを該背もたれ部(3) の支持凸部(8) の上辺面(9) と後辺面(10)とに当接支持させ、かつ、該肘支持部(6) の凸条(14)を該支持凸部(8) の凹溝(13)に嵌合させるとともに、該肘掛け(4) の支柱(7) 下端を該便器本体(2) の雄ねじボス(16)上端に当接させる。そして、該支柱(7) の袋ナット(15)を下方に摺動させて、該袋ナット(15)を該雄ねじボス(16)に螺着して、該肘掛け(4) の支柱(7) を該便器本体(2) の雄ねじボス(16)に固定する。
【００１５】
上記のように、肘掛け使用状態で背もたれ部(3) 両側面の支持凸部(8) の上辺面(9) と後辺面(10)とが該肘掛け(4) の肘支持部(6) の下面(11)と根端部(5) の内面(12)とに当接し、更に支柱(7) の下端が便器本体(2) 上面両側前部に当接するため、使用者が肘掛け(4) に肘を掛けて、該肘掛け(4) に大きな重量が加わっても、該肘掛け(4) は該支持凸部(8) と該支柱(7) とによって確実かつ安定に支持され、ぐらついて不安定になることがない。
【００１６】
また、該背もたれ部(3) 両側面の支持凸部(8) の上辺面(9) と後辺面(10)とに連続する凹溝(13)を形成し、該肘掛け(4) の肘支持部(6) の下面(11)と根端部(5) の内面(12)とには該支持凸部(8) の凹溝(13)に嵌合する凸条(14)を形成しているため、、肘掛け(4) が左右にぶれることが阻止される。
【００１７】
更に、該肘掛け(4) の支柱(7) の下部に袋ナット(15)を外側嵌合し、該便器本体(2) 上面両側前部に雄ねじボス(16)を立設し、該肘掛け使用状態で該肘掛け(4) の支柱(7) 下端を該雄ねじボス(16)上端に当接させ、該袋ナット(15)を該雄ねじボス(16)に螺着して、該支柱(7) を該雄ねじボス(16)に固定するので、該肘掛け(4) の支柱(7) が便器本体(2) 側の雄ねじボス(16)に確実かつ安定に固定され、肘掛け(4) の上方への動きが阻止される。
【００１８】
従って、上記のような簡易便器(1) の肘掛け取付構造では、簡易便器(1) の肘掛け(4) を確実かつ安定に支持することができるため、肘掛け使用状態において該肘掛け(4) がぐらついて不安定になることがなく、使用者は安心して該肘掛け(4) を使用することが出来、楽な姿勢で該簡易便器(1) を使用することが出来る。
【００１９】
なお、簡易便器(1) の肘掛け(4) を跳ね上げ状態にする場合には、便器本体(2) の雄ねじボス(16)に螺着された肘掛け(4) の支柱(7) の袋ナット(15)を緩めて、該肘掛け(4) の固定を解除し、該肘掛け(4) を上方に跳ね上げる。
このようにして該肘掛け(4) を上方に跳ね上げることによって、使用者が側方から簡易便器(1) に移乗する際に、該肘掛け(4) に干渉されることなく容易に移乗することが出来る。
【実施例２】
【００２０】
図７には他の実施例が示される。
本実施例では、該肘掛け(4) の支柱(7) の下部には、内周面に係合突環(17)を形成したカラー(18)が外側嵌合されており、該便器本体(2) 上面両側前部には、外周面に係合段部(19)を形成した先窄み形状の係合ボス(20)が立設されている。
【００２１】
簡易便器(1) の肘掛け(4) を使用状態にする場合には、実施例１と同様、該肘掛け(4) を回動させて該肘掛け(4) の肘支持部(6) を略水平状態とし、該肘掛け(4) の肘支持部(6) 後部の下面(11)と根端部(5) 上部の内面(12)とを該背もたれ部(3) の支持凸部(8) の上辺面(9) と後辺面(10)とに当接支持させ、かつ、該肘支持部(6) の凸条(14)を該支持凸部(8) の凹溝(13)に嵌合させるとともに、該肘掛け(4) の支柱(7) 下端を該便器本体(2) の雄ねじ係合ボス(20)上端に当接させる。そして、本実施例では、該支柱(7) のカラー(18)を下方に摺動させて、該カラー(18)を該係合ボス(20)に外側嵌合し、該カラー(18)の係合突環(17)を該係合ボス(20)の係合段部(19)に係合させて、該肘掛け(4) の支柱(7) を該便器本体(2) の係合ボス(20)に固定する。
【００２２】
上記のように、該肘掛け(4) の支柱(7) の下部にカラー(18)を外側嵌合し、該便器本体(2) 上面両側前部に係合ボス(20)を立設して、該肘掛け使用状態で該肘掛け(4) の支柱(7) 下端を該係合ボス(20)上端に当接させ、該カラー(18)を該係合ボス(20)に外側嵌合させ、該カラー(18)の係合突環(17)を該係合ボス(20)の係合段部(19)に係合させて、該支柱(7) を該係合ボス(20)に固定することによって、肘掛け(4) の支柱(7) が便器本体(2) 側の係合ボス(20)に確実かつ安定に固定されるため、肘掛け(4) の上方への動きが阻止される。
【００２３】
以上、本発明の実施の形態を実施例により説明したが、本発明の範囲はこれらに限定されるものではなく、請求項に記載された範囲内において目的に応じて変更・変形することが可能である。
例えば、上記実施例以外、例えば、該背もたれ部(3) 両側面の支持凸部(8) の上辺面(9) と後辺面(10)とに連続する凸条（図示せず）を形成し、該肘掛け(4) の肘支持部(6) 後部の下面(11)と根端部(5) 上部の内面(12)とには該支持凸部(8) の凸条に嵌合する凹溝（図示せず）を形成してもよい。
このように、該背もたれ部(3) 両側面の支持凸部(8) の上辺面(9) と後辺面(10)とに連続する凹溝を形成し、該肘掛け(4) の肘支持部(6) の下面(11)と根端部(5) の内面(12)とには該支持凸部(8) の凹溝に嵌合する凸条を形成しても、該支持凸部(8) の凸条と該肘掛け(4) の凹溝とが嵌合することによって、肘掛け(4) が左右にぶれることが阻止される。
【産業上の利用可能性】
【００２４】
本発明は、簡易便器の肘掛けの取付構造として、産業上利用することが出来る。
【図面の簡単な説明】
【００２５】
【図１】実施例１の簡易便器（肘掛け使用状態）の斜視図である。
【図２】実施例１の簡易便器（肘掛け使用状態）の後側からの斜視図である。
【図３】実施例１の簡易便器（肘掛け跳ね上げ状態）の斜視図である。
【図４】実施例１の簡易便器（肘掛け跳ね上げ状態）の後側からの斜視図である。
【図５】実施例１の肘掛けの根端部（肘掛け跳ね上げ状態）の拡大斜視図である。
【図６】実施例１の肘掛けの支柱（肘掛け使用状態）の説明側断面図である。
【図７】実施例２の肘掛けの支柱（肘掛け使用状態）の説明側断面図である。
【図８】従来例の携帯用便器（アームレスト跳ね上げ状態）の側面図である。
【符号の説明】
【００２６】
1   簡易便器
2   便器本体
3   背もたれ部
4   肘掛け
5   根端部
6   肘支持部
7   支柱
8   支持凸部
9   上辺面
10  後辺面
11  下面
12  内面
13  凹溝
14  凸条
15  袋ナット
16  雄ねじボス
17  係合突環
18  カラー
19  係合段部
20  係合ボス
【図１】
2005066071.tif 000003
【図２】
2005066071.tif 000004
【図３】
2005066071.tif 000005
【図４】
2005066071.tif 000006
【図５】
2005066071.tif 000007
【図６】
2005066071.tif 000008
【図７】
2005066071.tif 000009
【図８】
2005066071.tif 000010